(57)【要約】【課題】入浴者の邪魔になることがなく、使用したい部位に対して円滑に使用でき、ランニングコストを抑えつつ吸引力を増加して、各種の高い生体効果が得られる吸引押圧マッサージ機構が設けられた浴槽装置を提供することを目的とする。【解決手段】浴槽と、前記浴槽の内面または周縁に設けられた吐水基部と、前記吐水基部に脱着可能に設けられ、室内に旋回流を生じさせるよう設けられた入水口と、前記旋回流を吐水するように設けられた吐水口と、を有する旋回室を有する吐水部と、前記吐水基部内に収納可能とされ、前記吐水基部と前記吐水部とを接続し前記旋回室に水を供給する伸縮自在な第１の配管と、を備えたことを特徴とする浴槽装置を提供する。【選択図】　図１
2004000513.tif 000002
【特許請求の範囲】
【請求項１】
浴槽と、
前記浴槽の内面または周縁に設けられた吐水基部と、
前記吐水基部に脱着可能に設けられ、室内に旋回流を生じさせるよう設けられた入水口と、前記旋回流を吐水するように設けられた吐水口と、を有する旋回室を有する吐水部と、
前記吐水基部内に収納可能とされ、前記吐水基部と前記吐水部とを接続し前記旋回室に水を供給する伸縮自在な第１の配管と、
を備えたことを特徴とする浴槽装置。
【請求項２】
前記吐水部は、前記旋回流の旋回方向とは逆の方向に回転させることにより前記吐水基部に固定可能とされたことを特徴とする請求項１記載の浴槽装置。
【請求項３】
前記吐水部は、前記吐水口よりも突出した突起を有することを特徴とする請求項１または２に記載の浴槽装置。
【請求項４】
前記旋回室における前記吐水口の対向面に小穴が設けられ、
前記小穴と前記吐水基部とを接続し前記小穴に空気を供給する伸縮自在な第２の配管をさらに備えたことを特徴とする請求項１〜３のいずれか１つに記載の浴槽装置。
【請求項５】
前記第１及び第２の配管は、前記第１の配管の中に前記第２の配管が設けられた二重管構造を有することを特徴とする請求項４記載の浴槽装置。
【請求項６】
前記第１の配管は、コイル管または蛇腹管であることを特徴とする請求項１〜５のいずれか１つに記載の浴槽装置。
【請求項７】
前記浴槽内の水を前記第１の配管に送出するポンプをさらに備えたことを特徴とする請求項１〜６のいずれか１つに記載の浴槽装置。
【発明の詳細な説明】
【０００１】
【発明の属する技術分野】
本発明は、浴槽装置に関し、特に、旋回流を用いて人体に対してマッサージを行う浴槽装置に関する。
【０００２】
【従来の技術】
昨今の健康指向を背景に、様々な健康機器が開発されている。その中で、入浴行為の効果が見直され、気泡混入による気泡浴風呂等が開発されている。また、血行促進や凝り改善、美容効果を謳ったマッサージ装置の発明は後を絶たない。それらマッサージ装置のマッサージ方式は、たたく、もむ等様々であり、構成も多種多様である。
例えば、特許文献１には、水の旋回流に外気を導入したマッサージ器が開示されている。すなわち、旋回流により中心部に形成される負圧を利用し、吐水部においてドーナツ状の気泡混入吐水の押圧部とドーナツ状の中心部の吸引部を形成し、人体に対して局所的に押圧吸引の双方のマッサージ効果を与えることを実現した。
【０００３】
【特許文献１】
実開平４−５５３３７号公報
【発明が解決しようとする課題】
しかしながら、かかる従来のマッサージ装置では、浴槽内利用において下記のような要望があった。すなわち、浴槽内という限られたスペース内で、入浴者の邪魔になることなく配設され、かつ利用したい時に利用したい部位に使用したいという要望である。特に、吸引効果を得る為には、吐水口近傍を人体に対して密着させねばならず、浴槽内に突出して固定的に配設されたのであれば、通常の入浴時に邪魔になるといった問題があった。
【０００４】
また一方、吸引により得られる血行促進などの各種の生体効果を高めるためには、吸引力をさらに上げることが必要である。しかし、そのために旋回流の流量を増加するのでは、大型のモータが必要とされ、ランニングコストが高くなる。
【０００５】
本発明は、かかる課題の認識に基づいてなされたものであり、その目的は、入浴者の邪魔になることがなく、使用したい部位に対して円滑に使用でき、ランニングコストを抑えつつ吸引力を増加して、各種の高い生体効果が得られる吸引押圧マッサージ機構が設けられた浴槽装置を提供することにある。
【０００６】
【課題を解決するための手段】
上記目的を達成するため、本発明の浴槽装置は、浴槽と、前記浴槽の内面または周縁に設けられた吐水基部と、前記吐水基部に脱着可能に設けられ、室内に旋回流を生じさせるよう設けられた入水口と、前記旋回流を吐水するように設けられた吐水口と、を有する旋回室を有する吐水部と、前記吐水基部内に収納可能とされ、前記吐水基部と前記吐水部とを接続し前記旋回室に水を供給する伸縮自在な第１の配管と、を備えたことを特徴とする。
【０００７】
入浴者は特に吸引効果を利用したい場合に、吐水口を人体に密着させる必要があるが、本発明の構成においては、吐水部が浴槽の内面または周縁に設置された吐水基部から脱着可能な構成でかつ伸縮自在の配管にて接続されている為、入浴者は容易に吐水口を入浴者の好みに応じて入浴者の当てたい部分に無理なく当てることができ、人体に密着させさらに密着させたまま操作することが可能となり、入浴者に負担をかけることなく使用感が向上する。また、通常は浴槽内壁に設置された吐水基部に収納しておけば、吐水部および吐水部に連結されている配管は、吐水基部内に収納され、入浴者の入浴の妨げになることはなく、快適性は維持され、外観も損ねない。
【０００８】
なお、本願明細書において「水」とは、冷水のみを意味するものではなく、お湯も含み、さらには、これらに生体効果を高めあるいは使用者をリラックスさせるためなどの目的で各種の成分が配合されたものも含むものとする。
【０００９】
またここで、前記吐水部は、前記旋回流の旋回方向とは逆の方向に回転させることにより前記吐水基部に固定可能とされたものとすることができる。
【００１０】
例えば、旋回室への入水方向が時計回りの場合、入水流からの反作用で吐水部には反時計周りの力が加わる為、この方向に回転させて固定可能とすれば、水流によって吐水部は固定される方向へと導かれ、収納の安全性が増す。従って、吐水部が吐水基部内に収納されている状態で使用しても、吐水部が回転したり、若しくは浴槽内に飛び出したりすることが無くなり、装置の信頼性が向上する。
【００１１】
またここで、前記吐水部は、前記吐水口よりも突出した突起を有するものとすることができる。吐水部に突起が設けられていれば、入浴者が吐水部を使用したい場合に、突起を掴むことで吐水基部から吐水部を引き出すことが容易となり、操作性が向上する。また、突起を設けられていれば、被処理部位に軽く押し当てることにより、最適な吸引作用が得られる距離を維持することができる。また、突起を利用してツボ押し刺激も可能となり、入浴者の快適性が向上する。
【００１２】
またさらに、突起がリング状に形成されている場合には、吐水口から周囲に略円錐状に吐出される旋回流吐水の飛散を抑制できる。その結果として、吐水口から広角度に飛散する吐水成分による不快感や刺激などを緩和して、使用感が向上する。また、リング状の突起が設けられている場合には、突起先端が連続的な水膜により覆われるため、被処理部位に接触刺激を与えることなくスムーズに吐水部を移動させることができる。
【００１３】
またさらに、前記旋回室における前記吐水口の対向面に小穴が設けられ、前記小穴と前記吐水基部とを接続し前記小穴に空気を供給する伸縮自在な第２の配管をさらに備えたものとすることができる。このようにすれば、旋回流により形成される負圧によって空気を導入し、気泡流を吐出させることができる。その結果として、気泡浴装置として使用することも可能となる。
【００１４】
前記第１及び第２の配管は、前記第１の配管の中に前記第２の配管が設けられた二重管構造を有するものとすることができる。二重管構造としたことで、第１の配管すなわち水配管と第２の配管すなわち空気配管の二系統が一つの管にまとまることになり、コンパクトな構造となることはもとより、入浴者が手にとって操作する場合に邪魔になることがなく、使用感が向上する。この際、断面が円であるので指向性がなく、入浴者は無理することなくどの向きにも操作することが可能となる。
【００１５】
また、前記第１の配管は、コイル管または蛇腹管であるものとすることができる。コイル管や蛇腹管を用いることにより、吐水基部の中への収納も容易で、しかも、使用時に外部に引き出すことも容易で、所望の部位に楽に吐水部を移動させて吸引押圧マッサージを施すことが可能となる。
【００１６】
また、前記浴槽内の水を前記第１の配管に送出するポンプをさらに備えたものとすることができる。浴槽内の水をポンプにより循環させることにより、節水効果が得られ、大流量の旋回流を実現できる。つまり、低コストで強い吸引押圧マッサージが可能な浴槽装置を提供できる。
【００１７】
【発明の実施の形態】
以下に本発明の実施例を図を参照して説明する。
【００１８】
（第１の実施の形態）
まず、本発明の第１の実施の形態として、旋回流による高い吸引押圧効果が得られる浴槽装置について説明する。
図１は、本実施形態にかかる浴槽装置の全体構成を例示する模式図である。　すなわち、具体例においても、浴槽装置１は、浴槽２と、浴槽内に開口を持つ吸込部３と吐水基部４と、吐水基部４内に収納され着脱可能に構成された吐水部５と、吸込部３と吐水基部４とを結ぶ水配管６と、水配管６の経路内に配設されたポンプ７とを有する。
【００１９】
図２は、本実施形態の浴槽装置の吐水部および吐水基部周辺の第１実施例の模式図である。すなわち、同図は、吐水部５が吐水基部４内に収納されている状態を示している。
吐水基部４は、フランジ２０７と収納部２０８と水接続管２６とを有している。吐水基部４は、浴槽壁２１に開けられた浴槽壁穴２０９の浴槽内壁側から差し込まれ、フランジ２０７と留め具２２でもって浴槽壁２１を挟み込むように留められている。フランジ２０７と浴槽壁２１の間にはＯリング等のシール材２３が配設され、浴槽内部と外部をシールしている。
収納部２０８内には、吐水部５と水伸縮管（第１の配管）２４が収納されている。
水接続管２６の両端は外側水接続部２６１と内側水接続部２６２で構成されており、外側水接続部２６１には水配管６が接続され、内側水接続部２６２には水伸縮管２４が接続されている。
吐水部５は、略円筒形の旋回室２８を有する。旋回室２８には、旋回室円筒端部中央に設けられた吐水口２９と、旋回室円筒壁面に接するように設けられた入水口２０１とが設けられている。入水口２０１は水流路２０３に連通し、水伸縮管２４を介して水（湯）が供給される。
【００２０】
このように構成したことにより、水経路は、浴槽内→吸込部３→水配管６（ポンプ７を含む）→吐水基部４（外側水接続部２６１→水接続管２６→内側水接続部２６２）→水伸縮管２４→吐水部５（水流路２０３→入水口２０１→旋回室２８→吐水口２９）→浴槽内、という循環経路を形成する。
【００２１】
吐水部５が吐水基部４内に収納されている収納時は、浴槽内の入浴スペースを害することがなく、入浴者は入浴スペースを十分に活用でき、快適に入浴を行える。
【００２２】
水伸縮管２４は、後に詳述するように、例えば蛇腹管やコイル管のような、伸縮自在な部材で形成されている。吐水部５が吐水基部４に収納されている場合は縮んでおり、収納部２０８に収納されている。吐水部５を吐水基部４から取り出す場合には、水伸縮管２４は延伸し、浴槽内に飛び出す形となる。
【００２３】
図３（ａ）及び（ｂ）は、旋回室２８における旋回流の形成を説明するための模式図である。すなわち、同図は、図２の矢印Ａの方向から眺めた旋回室２８の断面図である。
入水口２０１は、円筒形の旋回室２８の内部周壁に対して、その接線方向に開口している。水流入口２０３から入水口２０１を介して旋回室２８に流入した水は、矢印Ｂに表した如く、円筒形の旋回室２８の内部周壁に沿った旋回流を形成する。この時、図３（ａ）に例示した如く、入水口２０１をひとつのみ設けてもよく、また、同図（ｂ）に例示した如く、ふたつの入水口２０１を互いに略対向する位置に設けてもよい。さらに、３つ以上の入水口を適宜設けてもよい。複数の入水口を旋回室２８の周壁に沿って均等に配置すると、旋回の軸線が旋回室２８の軸線とほぼ一致した均一な旋回流を形成することができる。
【００２４】
図４は、本実施形態における旋回流の吸引作用を説明するための模式図である。すなわち、旋回室２８内で発生した旋回流ＣＦは、遠心力により旋回流の外周部において圧力を上昇させ、また中心部では圧力を低下させて負圧部ＮＡを形成する。
【００２５】
本実施形態においては、旋回流ＣＦによって生じた負圧部ＮＡは、吐水口２９に向けてのみ吸引力を作用させる。そして、旋回室２８すなわち負圧部ＮＡを常に水（または湯）で満たした状態とすることにより、負圧部の圧力損失（圧力の上昇）を生じさせることはなく、負圧部ＮＡにより得られる吸引作用を吐水口２９に向けて効率的に作用させることができる。その結果として、図５に表したように、吐水口２９の中央付近において、強い吸引力ＮＰが生ずる。
また一方、吐水口２９から吐出する旋回流ＣＦは、旋回成分をもった円錐形の吐水となる。つまり、吐水口２９の周囲を取り囲む吐水前面２９Ｓには、吐水された水膜が形成される。この時、旋回室２８に空気などが混入しなければ、吐水前面２９Ｓの表面に形成される水膜は、気泡を含まない均質な水膜となる。その結果として、吐水口２９の正面においては、負圧ＮＰが生じ、一方、その周囲の吐水前面２９Ｓの正面においては、吐水された水膜により押圧（正圧）ＰＰが生ずる。
【００２６】
図６は、本実施形態の吐水部により人体を吸引する状態を表す模式図である。前述の如く、本実施形態によれば、吐水口２９の正面においては、負圧ＮＰによる強い吸引力が生じ、一方、その周囲においては、吐水の水膜による押圧ＰＰが生ずる。その結果として、人体５１は、中央が吸引部で、周囲が押圧部という、ドーナツ状の局所的な押圧吸引双方のマッサージ効果を受けることができる。さらに本実施形態においては、旋回流により生ずる負圧を吐水口にのみ有効に作用させることができるので、吸引力を高めることができ、同時に、吐水口２９から吐出する旋回流に気泡が含有されないため、吐水前面２９Ｓの表面には、薄くて均質な水膜が形成される。その結果として、人体５１を吐水口２９に対して接近させた状態で圧力のバランスを得ることができ、強い吸引マッサージを受けることができる。
【００２７】
また、本実施形態によれば、連続的な水膜により吐水口２９の周囲が覆われるため、人体５１の表面は常に均質な水膜に保護され、吐水部５に接触することがない。このため、人体が吐水部５に接触することによる不快な刺激などが無く、使用感に優れる。さらに、人体５１の上で吐水部５を移動させる時にも、連続的な水膜により常に保護された状態のまま、吐水部５を滑るように移動させることかできるため、極めて滑らかに移動することが可能で、極めて優れた使用感が得られる。なお、本実施形態の吐水部５は、浴槽の水（お湯）の中に浸した状態で用いると、旋回室２８に空気層（空洞）が形成されない点で、より有利である。
【００２８】
本実施形態によれば、強い吸引押圧作用と滑らかな使用感とを両立できる。吐水部５が伸縮自在の水伸縮管２４により接続されているので、吐水部５を被処理部位に対して柔軟且つ自在にあてることができる。また、本実施形態によれば、吐水口２９の周囲が均質な水膜により保護されるので、被処理部位に対して、強い吸引押圧作用を与えつつ、吐水部５を滑らかに移動させることができる。その結果として、被処理部位は、吸引と押圧とを交互に受け、リズミカルに揉みほぐされた状態となる。そして、使用者は、身体の各部位について吐水部５による吸引押圧マッサージを施し、以下に列挙する効果を得ることが可能となる。
【００２９】
まず、皮膚に与える効果としては、吸引と押圧という双方向の刺激を皮膚に与えることにより、線維芽細胞を活性化させ、エラスチンやコラーゲンの生成を促進できる。その結果として、肌の「はり」や「つや」を増進させることができる。また、毛細管の血流量を増加させ、新陳代謝を促進できる。その結果として、皮膚のターンオーバーを促進できる。さらにまた、皮脂や外的な汚れを除去することにより、肌の「きめ」が整う効果も得られる。
【００３０】
また一方、皮下脂肪に与える効果としては、吸引圧によって皮下組織をストレッチすることで、皮下脂肪の間の圧迫されたリンパ管や毛細血管を開放する作用が得られ、血流やリンパの循環不良を改善し、皮下脂肪に滞ったリンパや老廃物を排出することができる。さらに、老廃物と脂肪の塊である「セルライト」を揉みほぐすことにより、老廃物の排出を促進し、セルライトを正常な脂肪に改善することができる。
【００３１】
また、筋肉に与える効果としては、筋肉組織をストレッチすることにより、筋肉血流を増加させ、乳酸の循環と代謝を促進することにより、筋肉痛を低減し肩こりも解消できる。
【００３２】
また、筋肉が緊張しリンパ管を圧迫するような過度の刺激を与えずに、滑らかで快適な吸引押圧マッサージを施すことができるため、リンパ管壁の開放を促進できる。さらに、リンパの流れに沿って吸引押圧マッサージを施すことによって、リンパの流れを促進することができる。その結果として、皮下組織や筋組織に滞った体液をリンパ管に戻し、リンパ管内のリンパ循環も促進できるため、「むくみ」を解消できる。
【００３３】
以上、代表的な効果の一部を列挙したように、本実施形態によれば、強い吸引押圧マッサージ効果が得られ、さらに、吐水部を伸縮自在の部材により接続することにより、使用者は身体のいかなる部位に対しても、吐水部を自在に移動させて、上述したような各種の優れたマッサージ効果を得ることができる。
【００３４】
図７は、本実施形態の第２の実施例を表す模式断面図である。
すなわち、本実施例においては、水伸縮管２４として、コイル状の伸縮自在な部材による配管が設けられている。図４に関して前述したものと同様に、この水伸縮管２４は、吐水部５が吐水基部４に収納されている場合では縮んでおり、収納部２０８に収納されている。一方、吐水部５を吐水基部４から取り出す場合には、水伸縮管２４は延伸し、浴槽内に飛び出す形となる。
【００３５】
このような伸縮自在な水伸縮管２４を設けることにより、吐水部５を吐水基部４に収納した状態で使用することも、吐水基部４から取り外した状態で使用することも容易となる。
【００３６】
またここで、本発明においては、加圧水により吸引力を発生させているため、伸縮自在な部材を用いて水伸縮管２４を形成することが容易である。例えば、これとは逆に、減圧された空気または液体などを用いて吸引力を発生させる場合について考えると、図２などに例示したような「蛇腹状」の伸縮管は、これら減圧空気または液体を流す場合に、収縮してしまう。このため、使用者が吐水部５を吐水基部４から取り外して使用する場合にも、常に、吐水基部４に向けて「引っ張られた」状態に対抗しつつ使用しなければならず、使用しづらい。
これに対して、本発明においては、加圧水を用いて吸引作用を生じさせるので、伸縮管に収縮応力や引っ張り応力は発生せず、吐水部５を取り外して自由に取り扱うことができる。
【００３７】
図８は、本実施形態の第３の実施例を表す模式図である。すなわち、同図は、吐水部５の要部を表す断面図である。
本実施例においては、旋回室２８は、略円筒状の第１の旋回室２８Ａと、吐水口２９に向けて内周径が徐々に小さくなる略円錐状の周回壁を有する第２の旋回室２８Ｂと、により構成されている。つまり、入水口２０１から周壁の接線方向に導入された水は、まず第１の旋回室２８Ａにおいて旋回流ＣＦを形成し、次に、第２の旋回室２８Ｂにおいて周回径が徐々に狭められ、最後に、吐水口２９から円錐状に吐水される。
【００３８】
この時、第２の旋回室２８Ｂにおいて、内周径が吐水口２９に向けて徐々に狭められているために、旋回流ＣＦの流れに「乱れ」を生じさせることなく、流速を徐々に増加することができる。つまり、第２の旋回室２８Ｂが旋回流ＣＦの「増速路」として作用する。その結果として、吐水口２９の近傍における負圧を増強し、吸引力をさらに高めることができる。
またさらに、第２の旋回室２８Ｂの内周壁を略円錐状とし、その円錐面が吐水口２９まで連続的に続くように形成すると、第２の旋回室２８Ｂの内周壁を旋回した旋回流ＣＦは、そのまま内周壁の接線方向に沿って吐水口２９から吐出される。つまり、吐水口２９から吐水される旋回流は、広角の円錐状に拡がる。その結果として、吐水前面２９Ｓの表面に均質な薄い水膜が形成される。そして、図９に例示したように、人体５１は、この均質な薄い水膜に保護された状態で、強い吸引押圧マッサージ効果を受けることができる。
【００３９】
図１０は、本実施形態の第４の実施例を表す模式図である。すなわち、同図も、吐水部５の要部を表す断面図である。
本実施例においては、旋回室２８は、吐水口２９に向けてストレートに開口する単一の略円筒状の空間を有する。つまり、旋回室２８の内径と吐水口２９の開口径とはほぼ同一であり、吐水口での「絞り」は設けられていない。旋回室２８の形態として、このような略単一の円筒状を採用すると、吐水口に「絞り」を設けた場合と比較して水流の圧力損失を低くすることができ、給水圧力に対して得られる流量を増やすことができる。その結果として、旋回流ＣＦの流量を増加させ、強い吸引押圧作用を得ることができる。またさらに、このような単一の円筒状の旋回室は、製造が極めて容易であり、コストも下げることができる。
なお、本実施例の吐水部５を樹脂の射出成形技術（インジェクション・モールド）などにより形成する場合、旋回室２８の形状に「テーパ」を設ける場合がある。すなわち、鋳型に樹脂をモールドし、その後に旋回室２８の内部空間を形成するための鋳型突出部を円滑に引き抜くためには、旋回室２８の内径を均一ではなく、吐水口２９に向けてやや内径が拡がるように形成することが望ましい。本発明は、このようなテーパ状の旋回室２８を有するものも包含する。
【００４０】
図１１は、本実施形態の第５の実施例を表す模式図である。すなわち、同図は、吐水部５の外観を表す斜視図である。
本実施例においては、吐水部５の浴槽内面側に突起７１が設けられている。この突起７１は、吐水口２９を囲むように均一な環状に形成されている。
【００４１】
本発明の吐水部により吸引押圧マッサージを実施する場合、吐水口２９と人体との間には、吸引力と押圧とがバランスする最適な距離が存在する。しかし、この最適な距離を常に維持することは容易ではない。これに対して、本実施例においては、リング状の突起７１を設けることにより、吐水口２９までの最適距離を容易に得ることができる。つまり、突起７１を被処理部位に軽く押し当てることにより、最適な吸引作用が得られる距離を維持することができる。
また、使用者は、この吐水部５を用いてマッサージを実施する際には、リング状の突起７１を被処理部位に軽く押し当てるようにする。前述したように、吐水口２９からは旋回流が円錐状に放出されているので、突起７１と被処理部位（人体）との間には、均質な水膜が形成される。つまり、被処理部位（人体）は、均質で連続的な水膜により保護されるので、突起７１を設けても、被処理部位（人体）に対する不快な刺激は少ない。その結果として、吸引押圧マッサージを続けながら被処理部位の上で吐水部５を滑らかに移動させることができる。
【００４２】
またさらに、このようなリング状の突起７１を設けることにより、吐水口２９から周囲に略円錐状に吐出される旋回流吐水の飛散を抑制できる。その結果として、吐水口２９から広角度に飛散する吐水成分による不快感や刺激などを緩和して、使用感が向上する。
以上、図１乃至図１１を参照しつつ、本発明の第１の実施の形態について説明した。
【００４３】
（第２の実施の形態）
次に、本発明の第２の実施の形態として、旋回室に空気を導入可能とした浴槽装置について説明する。
図１２は、本発明の第２の実施の形態にかかる浴槽装置の概略模式図である。すなわち、浴槽装置１は、浴槽２と、浴槽内に開口を持つ吸込部３と吐水基部４と、吐水基部４内に収納され着脱可能に構成された吐水部５と、吸込部３と吐水基部４とを結ぶ水配管６と、水配管６の経路内に配設されたポンプ７と、吐水基部４に接続されもう片端が大気開放となっている空気配管８とから構成されている。空気配管８の経路上には空気流量調整バルブ９が設けられている。空気流量調整バルブ９は、入浴者が好みに合わせて空気の流量を調整できるようにしたもので、手動式でもよいし電磁式でもよい。
【００４４】
空気配管８の経路上には、浴槽水１０がヘッド圧で逆流してこないように逆止弁を設けてもよい。また、大気開放となっている空気配管８の端部は、浴室内の暖かい空気を取り入れるために、浴室内に開放されているのが望ましい。
【００４５】
図１３は、本実施形態の浴槽装置の吐水部および吐水基部周辺の第１実施例の模式図である。この図は、吐水部５が吐水基部４内に収納されている状態を示している。同図については、図１乃至図１２に関して前述したものと同様の要素には、同一の符号を付して詳細な説明は省略する。
本実施形態においては、吐水基部４は、水接続管２６とともに、空気接続管２７を有している。吐水基部４は、浴槽壁２１に開けられた浴槽壁穴２０９の浴槽内壁側から差し込まれ、フランジ２０７と留め具２２でもって浴槽壁２１を挟み込むように留められている。フランジ２０７と浴槽壁２１の間にはＯリング等のシール材２３が配設され、浴槽内部と外部をシールしている。
収納部２０８内には、吐水部５と水伸縮管（第１の配管）２４と空気伸縮管（第２の配管））２５が収納されている。
水接続管２６の両端は外側水接続部２６１と内側水接続部２６２で構成されており、外側水接続部２６１には水配管６が接続され、内側水接続部２６２には水伸縮管２４が接続されている。
空気接続管２７の両端は外側空気接続部２７１と内側空気接続部２７２で構成されており、外側空気接続部２７１には空気配管８が接続され、内側空気接続部２７２には空気伸縮管２５が接続されている。
【００４６】
吐水部５は、円筒形の旋回室２８と、旋回室円筒端部中央に設けられた吐水口２９と、旋回室円筒のもう片方の端部中央に設けられた小穴２０２と、旋回室円筒壁面に接するように設けられた入水口２０１を有し、小穴２０２に通じる空気流路２０６および空気流路２０６の外部連絡口である空気流入口２０４、入水口２０１に通じる水流路２０５および水流路２０５の外部連絡口である水流入口２０３を有している。
水流入口２０３には水伸縮管２４が、空気流入口２０４には空気伸縮管２５がそれぞれ接続されている。
【００４７】
このように構成したことにより、水経路は、浴槽内→吸込部３→水配管６（ポンプ７を含む）→吐水基部４（外側水接続部２６１→水接続管２６→内側水接続部２６２）→水伸縮管２４→吐水部５（水流入口２０３→水流路２０５→入水口２０１→旋回室２８→吐水口２９）→浴槽内、という循環経路を形成する。また、空気経路は、大気開放→空気配管８（空気流量バルブ９を含む）→吐水基部４（外側空気接続部２７１→空気接続管２７→内側空気接続部２７２）→空気伸縮管２５→吐水部５（空気流入口２０４→空気流路２０６→小穴２０２→旋回室２８→吐水口２９）→浴槽内という経路を形成する。
【００４８】
本実施形態においても、吐水部５が吐水基部４内に収納されている収納時は、浴槽内の入浴スペースを害することがなく、入浴者は入浴スペースを十分に活用でき、快適に入浴を行える。
【００４９】
水伸縮管２４と空気伸縮管２５は、例えば蛇腹管やコイル管のような、伸縮自在な部材で形成されている。吐水部５が吐水基部４に収納されている場合は縮んでおり、収納部２０８に収納されている。図１５に示すように、吐水部５を吐水基部４から取り出す場合には、水伸縮管２４と空気伸縮管２５は延伸し、浴槽内に飛び出す形となる。この際、水伸縮管２４と空気伸縮管２５は一つにまとめられているのが好ましく、水伸縮管２４と空気伸縮管２５が絡まったりして入浴者を煩わせることがない。
【００５０】
図１４は、本実施形態の第２の実施例を表す断面図である。本実施例においては、水伸縮管３４と空気伸縮管３５の部分を二重管構造としている。これに接続するため、吐水基部３１の水接続管３６と空気接続管３７、および吐水部３２の水流路３０５と空気流路３０６も、それぞれ二重管構造としている。これにより、水伸縮管３４と空気伸縮管３５がよりコンパクトになり、また断面形状が円であることから、どの方向に屈曲しても操作感に違和感がなく、入浴者は無理することなくどの向きにも操作することが可能となる。
【００５１】
ここで、吐水部５から吐水される吐水形態について述べる。ポンプ７によって圧送された水は、吐水部５において入水口２０１より旋回室２８に流入する。この際、入水口２０１は、図３に例示した如く、旋回室２８の円筒内壁に接するように開口してあるので、圧送水は旋回室２８の円筒壁面接線方向に流入し、旋回室２８内を旋回しながら吐水口２９へと向かう流れとなる。
【００５２】
旋回室２８内で発生した旋回流は、図４に関して前述したように、遠心力により旋回流の外周部において圧力を上昇させ、また中心部では圧力を低下させ負圧部を形成させる。こうして、旋回室２８の円筒端部中央に設けられた吐水口２９と小穴２０２を結ぶ軸線に負圧部が形成され、両端から各々の流体が流入することとなる。このとき、吐水口２９と小穴２０２の断面積比を適当に選ぶことによって、旋回流を引き起こした圧送水を、吐水口２９からのみ吐水させることが可能である。
また、吐水口２９側が液体（ここでは浴槽水１０）で満たされている場合は、その密度比から圧倒的に小穴２０２側から空気配管８を通じて空気が旋回室２８内に吸い込まれ、上記軸線上に空気柱を形成する（図１９参照）。空気柱は、吐水口２９近傍で吐水口２９側から流入しようとする浴槽水８２とぶつかり、および旋回室２８から速度を速めて吐水口２９から吐出しようとする旋回流となった圧送水のせん断力により引きずられ、形状を微細な気泡と変えながら、圧送水と共に浴槽水１０内に吐出される。
【００５３】
こうして、吐水口２９から吐出する圧送水は、気泡が混入された気泡混入水となり、旋回成分をもった円錐形の吐水となる。この場合の円錐形吐水形状は、吐水口２９の断面積および吐水口２９の浴槽内側開口端の形状により変化する。
【００５４】
気泡の量及び径は空気流量調整バルブ９を調整することにより可変である。気泡の径は、空気流量が少なければ小さくなる。空気流量調整バルブ９を全閉して、気泡混入のない吐水とすることも可能である。また、ポンプの圧送能力を変化させることで、負圧発生量を変化させることができるので、これによっても気泡の量および径を変化させることも可能である。
このように、本実施形態の浴槽装置は、普通の気泡浴装置としても使用が可能である。
またさらに、本実施形態においては、混入させる気泡量を変化させることによって、吐水口２９において生ずる吸引力を調節することも可能である。
【００５５】
旋回室２８は、吐水方向に対しての垂直断面形状が円形状であれば円筒でも円錐でもよく、またその連続体でも構わない。図８乃至図１０に例示したような形状としてもよい。但し、小穴２０２側から吐水口２９側に移行するにつれて、旋回室２８はその断面積を連続して変化させる形状としたほうが、圧力損失の面から、好ましい。
また、入水口２０１は、図３（ｂ）に例示した如く旋回室２８の壁面に接するように複数個設けてもよい。
【００５６】
図１６に示すようにこの装置を吸引マッサージ装置として利用することも可能である。つまり、吐水口２９近傍に人体５１を近づけると、前記負圧部により人体は吐水口２９内に吸引される。図４乃至図６に関して前述したように、この際、吐水口２９から吐出される気泡混入水により、吸引される部位の周囲は逆に押圧される。こうして吐水口２９近傍に人体を近づければ、吸引と押圧という、相反するマッサージ効果を人体の局所で行うことができ、血行促進に効果的である。
【００５７】
図１５に示す第３実施例では、吐水基部４０は吐水部４５を収納時に確実に収納する把持機構を備えている。すなわちＪ字溝４１がそれで、吐水部４５の側面に設けられた留め突起４２と合うように形成されている。留め突起４２とＪ字溝４１が合うように吐水部４５を吐水基部４０内に挿入し、突き当たりで吐水部４５を反時計周りに回すことで把持が完了する。この時、Ｊ字溝４１の溝方向は吐水部４５の入水口２０１の入水方向を考慮し、入水方向と逆方向とするのが好ましい。すなわち、旋回室２８への入水方向が時計回りの場合、入水流からの反作用で吐水部４５には反時計周りの力が加わる為、Ｊ字溝４１は反時計回り方向にすれば、水流によって留め突起は更にＪ字溝奥へと導かれ、収納の安全性が増す。
【００５８】
また、図１５に示す第３実施例では、吐水部４５の浴槽内面側に突起４３を設けている。この突起４３は、入浴者が吐水部４５を吐水基部４０から引き出す時に突起４３を掴むことにより引き出せるよう構成したもので、特に吐水口を中心に円周上に複数配置するのが吐水部４５全体に均一に力が加わるため、入浴者は手を滑らすことなく、操作性が向上する。また、突起４３は単なる把持用機構としての役割だけではなく、人体への指圧用にも使用可能である。
【００５９】
また、突起４３は特に吸引マッサージの際に特異な効果を示す。図１７において、吸引作用は吐水口２９と人体６１との位置関係によってその吸引力が変化するが、突起４３の吐水口２９からの出っ張り高さを適当にすることで、突起４３を吸引力の発生ポイントとみなす目安とすることが可能となる。つまり、突起４３を人体に接触させれば吸引効果が得られる、という目安となる。これは、例えば本発明の浴槽装置を介護用に使用しようとした場合、介護者が被介護者の人体に沿って吐水部を操作することになるが、その際、吸引効果が発生しているか否かの判断を、突起が人体に接触しているかどうかで判断することが可能となり、介護者の使用性が向上する。
また、突起を接触した状態で人体に対して押し引きをすることにより、人体６１と吐水口２９の距離を自在に変化させることができ、吸引押圧力を変化させることが可能となる。人体６１と吐水口２９の最適距離は非常に微妙であり、遠すぎても近すぎても吸引力が低下する、空気混入量が減るといった不具合があるが、突起があることによってそれらのバランスを適度に保つことが可能となる。
【００６０】
図１８は、実施形態の第４実施例の吐水部７５を表す斜視図である。すなわち、本実施例においては、吐水部７５の浴槽内面側に突起７１が設けられている。突起７１は、吐水口７２を囲むように環状に形成され、かつ環状の一部が切り欠いてある構造である。例えば、吸引押圧効果を頬に使用したい場合など、吐水口２９を浴槽水中から大気中に出して使用したいという場合がある。大気中で吸引押圧効果を得ようとすると、人体と吐水口との位置決めは水中で使用する場合よりもより厳しいものとなる。なぜなら、吐水口が一部でも大気に開放されると、空気柱が吐水口から小穴まで連通し中央の負圧部は大気となり、吸引力が発生しないからである。つまり、吐水口と人体の間に疑似水中を形成しなければ、吸引力は発生しない。本実施例の突起７１は、吐水口７２を囲むように環状に形成されているため、突起７１を人体に接触させるように使用すれば、吐水口と人体の間に水が溜まりやすく、疑似水中を容易に形成でき、吸引押圧効果を得ることが可能となる。
一方で、浴槽水中内での使用では気にならなかった噴出水の飛散は、大気中の使用では使用者の不快感を喚起するものである。本実施例の突起７１は、完全なる環状にはせず、一部を切り欠くことによって、噴出水に逃げ場を与えている為に飛散が少なく、使用者は快適に使用することができる。
【００６１】
図２０は、本実施形態の第５実施例を表す吐水基部の斜視図である。すなわち、吐水基部９３は、空気溝９１と水抜き溝９２とを有している。吐水基部９３が設置された状態で、空気溝９１は鉛直上側の内面、水抜き溝９２は鉛直下側の内面に形成され、それぞれ吐水基部９３内の水空気伸縮管が収納される収納部まで伸びている。
このように構成されたことで、入浴者が吐水部を吐水基部内に収納しようとする際に、収納部内に満たされていた浴槽水は、空気溝９１及び水抜き溝９２を通じて抜けていく為、入浴者は容易に吐水部を収納させることができ、操作性が向上する。また、浴槽水１０を浴槽２から抜く際に、収納部に取り残された浴槽水は残りがちであるが、空気溝９１から大気開放となり、水抜き溝９２から収納部の浴槽水は抜けていくため、収納部に浴槽水は溜まらず、衛生性が向上する。　空気溝９１および水抜き溝９２は、図１５におけるＪ字溝４１の一部を兼ねてもよい。
【００６２】
（第３の実施形態）
次に、本発明の第３の実施形態として、本発明の浴槽装置における浴槽と吐水部との配置関係について説明する。
図２１は、本実施形態の第１の実施例を表す模式図である。すなわち、同図は、浴槽装置１における浴槽２と吐水部５との配置関係を表す。ここで、吐水部５は、第１実施形態に関して前述したものあるいは第２実施形態に関して前述したもののいずれを用いてもよい。なお、図１２に例示した空気配管８及び空気流量調節バルブ９は、適宜設けられるが、図示を省略した。
本実施例においては、図１及び図１２に例示したものと同様に、吐水基部４が浴槽２の中に設けられている。使用状態においては、吐水基部４は、浴槽２内にはられた湯の中に水没し、または、湯よりも上にあってもよい。
【００６３】
本実施例においては、図２１（ａ）に表したように、吐水基部４に吐水部５を収納した状態で、使用者は、浴槽２内に入浴し吐水部５に被処理部位をあてがうことにより吸引押圧マッサージを受けることができる。この時、吐水部５は、水没していてもよく、お湯よりも上に露出していてもよい。但し、第１実施形態にかかる吐水部５を設けた場合には、吐水部５を水没させたほうがより強い吸引マッサージを受けることができる。
また、第２実施形態に関して前述したように、吐水部５を吐水基部４に収納した状態で空気を導入すれば、いわゆる気泡浴装置として使用することもできる。
【００６４】
また一方、図２１（ｂ）に表したように、吐水部５を吐水基部４から取り外して用いることができる。本発明においては、吐水部５が蛇腹管やコイル管などの伸縮自在な部材により形成されているので、使用者は、吐水部５を自由な位置に移動させ、被処理部位に向けて使用することができる。この時、本発明においては、水伸縮管２４及び空気伸縮管２５は加圧状態であるので、これら伸縮管が引っ張られるような不都合も生じない。
【００６５】
なお、本実施例においては、ポンプ７により浴槽２内のお湯（水）を吐水部５に供給する。つまり、浴槽２内のお湯を循環使用する点で、節水効果が高い。また、循環使用であるので、吐水部５に供給する流量を増加しても水を無駄にすることはなく、大流量による強い吸引押圧マッサージ効果を得ることが容易となる。
【００６６】
図２２は、本実施形態の第２の実施例を表す模式図である。同図については、図１乃至図２１に関して前述したものと同様の要素には同一の符号を付して詳細な説明は省略する。
本実施例においては、浴槽２のお湯を循環させるポンプの代わりに、お湯（または水）の供給部４００が設けられている。供給部４００としては、例えば、浴槽２にお湯を供給するための給湯器を兼用することができる。
本実施例の場合には、供給部４００を設けることより、浴槽２内にお湯がない状態においても、吐水部５を用いた吸引押圧マッサージを受けることができる。もちろん、浴槽２内にお湯がはられた状態においても、吸引押圧マッサージや気泡浴を同様に実施することができる。
そして、図２２（ｂ）に表したように、伸縮管２４（２５）を伸ばすことにより、吐水部５を取り外して所望の被処理部位に向けて使用することができる。また、本実施例においては、図２１に関して前述したようなポンプ７や循環のための水配管６を設ける必要がないため、浴槽装置の構造を簡略化させ、低コストで提供することが可能である。
【００６７】
図２３は、本実施形態の第３の実施例を表す模式図である。同図についても、図１乃至図２２に関して前述したものと同様の要素には同一の符号を付して詳細な説明は省略する。
本実施例においては、吐水基部４が浴槽２の周縁の、いわゆる「エプロン」の部分に設けられている。気泡浴を行わず、吸引押圧マッサージを主体として実施するような場合には、吐水部５を簡単に取り外し、使用者の人体の各所に容易にあてがうことができるようにすることが望ましい。吐水基部４を浴槽２のエプロンに設置すると、吐水部５を取り外すことが極めて容易となる。また、浴槽２内に入浴した状態で、吐水部５が邪魔になる心配もない。
そして、本発明においては、伸縮自在の部材からなる伸縮管により吐水基部４と吐水部５とを接続することにより、吐水部５を自在に取り扱うことができる。
【００６８】
また、本実施例においても、ポンプ７により浴槽２内のお湯を循環使用する点で、節水効果が高く、大流量による強い吸引押圧マッサージ効果を得ることも容易となる。
【００６９】
図２４は、本実施形態の第３の実施例を表す模式図である。同図についても、図１乃至図２３に関して前述したものと同様の要素には同一の符号を付して詳細な説明は省略する。
本実施例においても、吐水基部４が浴槽２の周縁の、いわゆる「エプロン」の部分に設けられている。このため、吐水部５を取り外すことが極めて容易となる。また、浴槽２内に入浴した状態で、吐水部５が邪魔になる心配もない。
また、本発明においても、伸縮自在の部材からなる伸縮管により吐水基部４と吐水部５とを接続することにより、吐水部５を自在に取り扱うことができる。さらに、ポンプ７や循環のための水配管６を設ける必要がないため、浴槽装置の構造を簡略化させ、低コストで提供することが可能である。
【００７０】
（実施例）
次に、本発明の実施例として、旋回室に導入する空気量と得られる吸引力との関係について説明する。すなわち、本発明者は、旋回室に導入する空気の流量を変化させ、得られる吸引力について独自に測定を実施した。
【００７１】
図２５は、本発明者が実施した測定の方法を表す模式図である。
すなわち、吐水口２９の正面に受圧板５１０を設けた。受圧板５１０の中央に開口５２０を設け、マノメータ５３０によってこの開口５２０における圧力を測定した。この際に、開口５２０をマノメータ５３０の負圧入力５３０ａに接続し、大気圧から負圧側に生ずる圧力差を測定した。
【００７２】
測定に際しては、受圧板の開口５２０を吐水口２９の中心軸上に配置した。そして、入水口２０１から旋回室２８に水を導入して旋回流を形成し、小穴２０２から導入する空気の流量をバルブ９により変化させて、開口５２０における圧力を測定した。
【００７３】
図２６は、圧力の測定結果を表すグラフ図である。すなわち、同図の横軸は、旋回室２８に導入した空気の流量を表し、縦軸は開口５２０における圧力差を表す。なお、縦軸の圧力差は、大気圧から負圧側への圧力差であり、数値が上昇するほど、圧力が低下することを表す。
また、この測定に用いた旋回室２８の内径は４５ｍｍφ、吐水口の開口径は２５ｍｍφ、入水口２０１の開口面積は８９ｍｍ２、小穴２０２の開口径は２ｍｍφ、小穴２０２から吐水口２９までの距離は４５ｍｍである。また、受圧板５１０は、一辺が７５ｍｍの正方形状であり、その中央に設けられた開口５２０の開口径は２ｍｍφとした。
測定に際しては、旋回室２８及び受圧板５１０を水中に沈め、受圧板の開口５２０と吐水口２９との間隔を７ｍｍとし、入水口２０１から毎分２３リッター（Ｌ）の水を供給して旋回流を形成した。
図２６を見ると、空気流量が概ね毎分０．１リッターを境にして、特性曲線の傾斜が顕著に変化することが分かる。つまり、空気流量が約０．１リッター以下の範囲においては、空気流量の増加に応じて圧力差が急激に低下する。空気を全く導入しない場合には、圧力差はおよそ１２０００Ｐａであるのに対して、空気流量を毎分０．１リッターとすると圧力差は４０００Ｐａ弱にまで低下する。　一方、空気流量が毎分０．１リッターを超えると、圧力差の変化は、はるかに緩やかになり、毎分１リッター以上の空気を導入しても圧力差はおよそ２０００Ｐａである。
【００７４】
このように、本発明において、旋回室２８に導入する空気の流量を変化させると、得られる圧力に極めて臨界的な変化が生ずる。このような独特の特性を利用することにより、各種の効果を得ることが可能となる。
まず、図２６において、空気流量が概ね毎分０．４リッター以上の条件は、気泡浴に適している。すなわち、吐水口２９から放出される旋回流に大量の気泡を混入させることにより、気泡のマッサージ効果が顕著に得られる。例えば、気泡が被処理部位（人体）に衝突して破裂する際に生ずる超音波などによる振動は、高いマッサージ効果を与える。なおこの場合、図２６から分かるように、圧力差すなわち吸引力は低いが、気泡浴の場合には、被処理部位（人体）を吐水口２９からある程度離し、気泡流に包まれるようにして受けることが多いので、吸引作用はさほど必要とされない。
【００７５】
一方、空気流量を概ね毎分０．１リッターよりも低下させると、吸引力が急激に上昇する。従って、この条件においては、気泡流によるマッサージ効果と吸引押圧作用によるマッサージ効果とを併せて得ることができる。例えば、圧力差が６０００Ｐａ前後の条件において、吐水口２９を被処理部位（人体）に接近させると、気泡流によるマッサージ効果とともに、図４乃至図６に関して前述したような吸引押圧マッサージ効果が得られる。この場合には、例えば、図１５に関して前述したように、浴槽の水中で吐水部５を被処理部位に押し当てて使用することが望ましい。
【００７６】
そしてさらに空気流量を低下させ、ほぼゼロとした場合には、圧力差が１２０００Ｐａにまで上昇し、極めて強い吸引力が得られる。このように、空気を導入しない場合には、気泡によるマッサージ効果は得られないが、強い吸引押圧マッサージ効果が得られ、第１実施形態に関して前述したような各種の作用効果が期待できる。一般に、ある刺激を与えることにより所定の生体効果を得るためには、一定値以上の刺激が必要とされる場合が多い。従って、セルライトを正常な脂肪に改善することなどの生体効果を効果的に得るためには、所定値以上の吸引力を与えることが重要であると考えられる。本発明によれば、空気流量を低下させあるいはゼロとすることにより、極めて強い吸引押圧作用が得られ、気泡を導入するマッサージとは異質の各種の生体効果を得ることが可能となると考えられる。なおこの場合には、旋回室の中に空気の空洞が形成されると吸引力が低下するので、浴槽の水中に吐水部５を水没させた状態で使用することが望ましい。
【００７７】
以上具体例を参照しつつ本発明の実施の形態について説明した。しかし、本発明は、これらの具体例に限定されるものではない。
すなわち、本発明の浴槽装置を構成するいずれかの要素について当業者が設計変更を加えたものであっても、本発明の要旨を備えたものであれば、本発明の範囲に包含される。
【００７８】
例えば、吐水部における旋回室の形状や吐水口とのサイズの比率、あるいは入水口の位置関係などについては、旋回流が得られ、その結果として負圧部が形成される範囲内であれば、本発明に包含される。
【００７９】
また、吐水基部と吐水部とを接続する伸縮自在の部材に関して当業者が適宜選択して用いた浴槽装置も、本発明の範囲に包含される。
また、例えば、第２実施形態に関して前述したそれぞれの構成から旋回室に空気を導入するための要素を取り除いたものは、すべて本発明の第１の実施形態として本発明の範囲に包含される。
【００８０】
【発明の効果】
以上詳述したように、本発明に係る浴槽装置によれば、加圧水の旋回流により生ずる吸引押圧マッサージ効果が得られる。しかも、吐水基部と吐水部とを伸縮自在の部材により連結したことにより、その吐水部を吐水基部に収納した状態においても、また、吐水基部から取り外した状態においても、自在に使用することができる。その結果として、皮膚、皮下脂肪、筋肉、リンパ管などの各所に高いマッサージ効果を与えることができる。
【図面の簡単な説明】
【図１】本発明の第１の実施形態にかかる浴槽装置の全体構成を例示する模式図である。
【図２】第１実施形態の浴槽装置の吐水部および吐水基部周辺の第１実施例の模式図である。
【図３】旋回室２８における旋回流の形成を説明するための模式図である。
【図４】第１実施形態における旋回流の吸引作用を説明するための模式図である。
【図５】吐水口２９の中央付近において、強い吸引力ＮＰが生ずる様子を例示する模式図である。
【図６】第１実施形態の吐水部により人体を吸引する状態を表す模式図である。
【図７】第１実施形態の第２の実施例を表す模式断面図である。
【図８】第１実施形態の第３の実施例を表す模式図である。
【図９】均質で薄い水膜が形成されることにより、人体５１を吐水部５に十分に接近させて強い吸引力が得られる状態にバランスさせることができることを説明するための模式図である。
【図１０】第１実施形態の第４の実施例を表す模式図である。
【図１１】第１実施形態の第５の実施例を表す模式図である。
【図１２】本発明の第２の実施の形態にかかる浴槽装置全体の実施例を示す概略模式図である。
【図１３】第２実施形態の第１実施例の吐水部および吐水基部周辺を示す模式図である。
【図１４】第２実施形態の第２実施例の吐水部および吐水基部周辺を示す模式図である。
【図１５】第２実施形態の第３実施例の吐水部および吐水基部周辺を示す斜視図である。
【図１６】第２実施形態の第１実施例の吐水部と人体吸引の様子を示す模式図である。
【図１７】第２実施形態の第３実施例の吐水部と人体吸引の様子を示す模式図である。
【図１８】第２実施形態の第４実施例の吐水部を示す斜視図である。
【図１９】第２実施形態の吐水部の浴槽中での吐水の様子を示す模式図である。
【図２０】第２実施形態の第５実施例の吐水基部を示す斜視図である。
【図２１】本発明の第３の実施形態の第１の実施例を表す模式図である。
【図２２】第３実施形態の第２の実施例を表す模式図である。
【図２３】第３実施形態の第３の実施例を表す模式図である。
【図２４】第３実施形態の第３の実施例を表す模式図である。
【図２５】本発明者が実施した測定の方法を表す模式図である。
【図２６】圧力の測定結果を表すグラフ図である。
【符号の説明】
１…浴槽装置　　　　　　　２…浴槽
３…給水部　　　　　　　　４…吐水基部
５…吐水部　　　　　　　　６…水配管
７…ポンプ　　　　　　　　８…空気配管
９…空気流量調整バルブ　　１０…浴槽水
２１…浴槽壁　　　　　　　　２２…留め具
２３…シール材　　　　　　　２４…水伸縮管
２５…空気伸縮管　　　　　　２６…水接続管
２６１…外側水接続部　　　　２６２…内側水接続部
２７…空気接続管　　　　　　２７１…外側空気接続部
２７２…内側空気接続部　　　２８…旋回室
２８Ａ、２８Ｂ…旋回室　　　２９…吐水口
２９Ｓ…吐水前面　　　　　　２０１…入水口
２０２…小穴　　　　　　　　２０３…水流入口
２０４…空気流入口　　　　　２０５…空気流路
２０６…空気流路　　　　　　２０７…フランジ
２０８…収納部　　　　　　　２０９…浴槽壁穴
３１…吐水基部　　　　　　　３２…吐水部
３４…水伸縮管　　　　　　　３５…空気伸縮管
３６…水接続管　　　　　　　３７…空気接続管
３０５…水流路　　　　　　　３０６…空気流路
４０…吐水基部　　　　　　　４１…Ｊ字溝
４２…留め突起　　　　　　　４３…突起
４４…二重伸縮管　　　　　　４５…吐水部
４６…吐水口　　　　　　　　４００…供給部
５１…人体　　　　　　　　　６１…人体
６２…吐水口　　　　　　　　７１…突起
７２…吐水口　　　　　　　　７５…吐水部
８１…空気柱　　　　　　　　８２…浴槽水
９１…空気溝　　　　　　　　９２…水抜き溝
９３…吐水基部　　　　　　　ＣＦ…旋回流
ＮＡ…負圧部　　　　　　　　ＮＰ…吸引力（負圧）
ＰＰ…押圧
【図１】
2004000513.tif 000003
【図２】
2004000513.tif 000004
【図３】
2004000513.tif 000005
【図４】
2004000513.tif 000006
【図５】
2004000513.tif 000007
【図６】
2004000513.tif 000008
【図７】
2004000513.tif 000009
【図８】
2004000513.tif 000010
【図９】
2004000513.tif 000011
【図１０】
2004000513.tif 000012
【図１１】
2004000513.tif 000013
【図１２】
2004000513.tif 000014
【図１３】
2004000513.tif 000015
【図１４】
2004000513.tif 000016
【図１５】
2004000513.tif 000017
【図１６】
2004000513.tif 000018
【図１７】
2004000513.tif 000019
【図１８】
2004000513.tif 000020
【図１９】
2004000513.tif 000021
【図２０】
2004000513.tif 000022
【図２１】
2004000513.tif 000023
【図２２】
2004000513.tif 000024
【図２３】
2004000513.tif 000025
【図２４】
2004000513.tif 000026
【図２５】
2004000513.tif 000027
【図２６】
2004000513.tif 000028